(57)【要約】【課題】ユーザが発光部を視認できる状態と発光部を視認できない状態とに切り替え可能としつつ、設置場所の自由度を高めることができる機器を提供する。【解決手段】通信機器１は、発光部１１３と、発光部１１３が実装された回路基板１１１と、発光部１１３と回路基板１１１とを収納するとともに、Ｙ軸方向において発光部１１３に対向する位置に窓部１３２ａが形成された筐体１３と、非透光性であり回路基板１１１の主面１１１ｃと窓部１３２ａとの間に介在するとともに、Ｙ軸に平行な中心軸Ｊ０周りに回転自在である遮光板１５と、を備える。遮光板１５は、開口部１５３を有し、発光部１１３から放射される光を遮蔽する遮蔽状態から中心軸Ｊ０周りに回転されることにより、発光部１１３から放射される光を開口部１５３および窓部１３２ａを通じて筐体１３の外へ透過させる光透過状態となる。【選択図】図１
2019154011.tif 000002
【特許請求の範囲】
【請求項１】
発光部と、
主面に前記発光部が実装された回路基板と、
箱状であり前記発光部と前記回路基板とを収納するとともに、周壁における前記回路基板の厚さ方向において前記発光部に対向する位置に前記発光部から放射される光を外へ透過させるための窓部が形成された筐体と、
非透光性であり前記回路基板の前記主面と前記筐体の前記窓部との間に介在するとともに、前記回路基板の厚さ方向に平行な中心軸周りに回転自在である遮光板と、を備え、
前記遮光板は、開口部を有し、前記発光部から放射される光を遮蔽する遮蔽状態から前記中心軸周りに予め設定された角度だけ回転されることにより、前記発光部から放射される光を前記発光部に対向する開口部および窓部を通じて前記筐体の外へ透過させる光透過状態となる、
機器。
【請求項２】
前記発光部は、複数存在し、
前記開口部は、複数存在し、
前記遮光板は、前記光透過状態において、前記中心軸周りの複数種類の回転角度それぞれに応じて選択される少なくとも１つの発光部から放射される光を前記少なくとも１つの発光部それぞれに対向する開口部および窓部を通じて前記筐体の外へ透過させる、
請求項１に記載の機器。
【請求項３】
透光性を有し前記回路基板の前記主面と前記筐体の前記窓部との間に介在し、前記発光部から放射される光を減衰させる減光板を更に備える、
請求項１または２に記載の機器。
【請求項４】
前記減光板は、前記回路基板の厚さ方向に平行な中心軸周りに回転自在であり、前記中心軸周りの複数種類の回転角度それぞれに応じて、前記発光部から放射される光の減衰量が変化する、
請求項３に記載の機器。
【請求項５】
前記減光板は、前記中心軸周りに予め設定された回転角度だけ回転させたときにおける前記窓部に対向する位置に窪み部が設けられている、
請求項４に記載の機器。
【請求項６】
前記発光部は、前記回路基板の前記主面における、前記回路基板の厚さ方向において前記中心軸を中心とする仮想円弧と重なる領域に実装されている、
請求項１から５のいずれか１項に記載の機器。
【発明の詳細な説明】
【技術分野】
【０００１】
本発明は、機器に関する。
【背景技術】
【０００２】
各種情報の伝送路である信号線が接続される通信ポートと、通信ポートの通信状態を表示する表示灯と、を備える通信機器が提案されている（例えば、特許文献１参照）。特許文献１に記載された通信機器は、回動するカバーを備えており、カバーを回動させることによって、全ての表示灯を露出させた表示状態と、全ての表示灯を遮蔽した非表示状態とを切り替えることにより、通信状態を確認する必要がないときに、全ての表示灯を遮蔽した非表示状態にすることができる。これにより、例えば、夜間などで表示灯の点灯または点滅が目障りな際に、全ての表示灯を遮蔽した非表示状態にすることで目障りとならないようにすることができる。
【先行技術文献】
【特許文献】
【０００３】
【特許文献１】特開２００５−３１６７５１号公報
【発明の概要】
【発明が解決しようとする課題】
【０００４】
しかしながら、特許文献１に記載されている通信機器は、カバーが開いた状態ではカバーが通信機器の前方へ突出した状態となるため、通信機器の設置場所が、通信機器を設置した状態で前方にカバーを退避させるための空間が確保できる場所に限定されてしまう。
【０００５】
本発明は、上記事由に鑑みてなされたものであり、ユーザが発光部を視認できる状態と発光部を視認できない状態とに切り替え可能としつつ、設置場所の自由度を高めることができる機器を提供することを目的とする。
【課題を解決するための手段】
【０００６】
上記目的を達成するために、本発明に係る機器は、
発光部と、
主面に前記発光部が実装された回路基板と、
箱状であり前記発光部と前記回路基板とを収納するとともに、周壁における前記回路基板の厚さ方向において前記発光部に対向する位置に前記発光部から放射される光を外へ透過させるための窓部が形成された筐体と、
非透光性であり前記回路基板の前記主面と前記筐体の前記窓部との間に介在するとともに、前記回路基板の厚さ方向に平行な中心軸周りに回転自在である遮光板と、を備え、
前記遮光板は、開口部を有し、前記発光部から放射される光を遮蔽する遮蔽状態から前記中心軸周りに予め設定された角度だけ回転されることにより、前記発光部から放射される光を前記発光部に対向する開口部および窓部を通じて前記筐体の外へ透過させる光透過状態となる。
【発明の効果】
【０００７】
本発明によれば、遮光板が、開口部を有し、遮蔽状態から中心軸周りに予め設定された角度だけ回転されることにより光透過状態となる。これにより、ユーザは、遮光板を回転させることにより、発光部を視認できる状態と発光部を視認できない状態とに切り替えることができる。従って、例えば筐体に枢着された発光部の前方を覆うカバーを前方へ突出させる形で回動させることにより発光部を視認可能な状態にする構成に比べて、筐体外における発光部の前方に対応する位置に確保すべき空間を省略することができるので、機器の設置場所の自由度を高めることができる。
【図面の簡単な説明】
【０００８】
【図１】本発明の実施の形態に係る通信機器の分解斜視図
【図２】実施の形態に係る通信機器の正面図
【図３】実施の形態に係る通信機器の斜視図
【図４】実施の形態に係る通信機器の一部を示す分解斜視図
【図５】実施の形態に係る通信機器について上ケースを取り外した状態を示し、（Ａ）は遮光板が初期状態にある場合を示す正面図、（Ｂ）は遮光板を初期状態から正面から見て左回り方向へ３０度回転させた状態を示す正面図
【図６】実施の形態に係る通信機器について上ケースを取り外した状態を示し、（Ａ）は遮光板を初期状態から正面から見て左回り方向へ９０度回転させた状態を示す正面図、（Ｂ）は遮光板を初期状態から正面から見て左回り方向へ１５０度回転させた状態を示す正面図
【図７】実施の形態に係る通信機器について上ケースを取り外した状態を示し、（Ａ）は遮光板を初期状態から正面から見て左回り方向へ１８０度回転させた状態を示す正面図、（Ｂ）は遮光板を初期状態から正面から見て左回り方向へ２１０度回転させた状態を示す正面図
【図８】実施の形態に係る通信機器について上ケースを取り外した状態を示し、（Ａ）は遮光板を初期状態から正面から見て左回り方向へ２７０度回転させた状態を示す正面図、（Ｂ）は遮光板を初期状態から正面から見て左回り方向へ３３０度回転させた状態を示す正面図
【図９】変形例に係る通信機器の分解斜視図
【図１０】変形例に係る通信機器の分解斜視図
【図１１】変形例に係る通信機器の初期状態を示し、（Ａ）はその一部の正面図、（Ｂ）は断面図
【図１２】変形例に係る通信機器について遮光板を初期状態から正面から見て左回り方向へ９０度回転させた状態を示し、（Ａ）はその一部の正面図、（Ｂ）は断面図
【図１３】変形例に係る通信機器について遮光板を初期状態から正面から見て左回り方向へ１８０度回転させた状態を示し、（Ａ）はその一部の正面図、（Ｂ）は断面図
【図１４】変形例に係る通信機器について遮光板を初期状態から正面から見て左回り方向へ２７０度回転させた状態を示し、（Ａ）はその一部の正面図、（Ｂ）は断面図
【図１５】変形例に係る通信機器の正面図
【図１６】変形例に係る通信機器について上ケースを取り外した状態を示す正面図
【図１７】変形例に係る通信機器の正面図
【図１８】変形例に係る通信機器について上ケースを取り外した状態を示し、（Ａ）は遮光板が初期状態にある場合を示す正面図、（Ｂ）は遮光板を初期状態から正面から見て左回り方向へ３０度回転させた状態を示す正面図
【図１９】変形例に係る通信機器について上ケースを取り外した状態を示し、（Ａ）は遮光板を初期状態から正面から見て左回り方向へ９０度回転させた状態を示す正面図、（Ｂ）は遮光板を初期状態から正面から見て左回り方向へ１５０度回転させた状態を示す正面図
【図２０】変形例に係る通信機器について上ケースを取り外した状態を示し、（Ａ）は遮光板を初期状態から正面から見て左回り方向へ１８０度回転させた状態を示す正面図、（Ｂ）は遮光板を初期状態から正面から見て左回り方向へ２１０度回転させた状態を示す正面図
【図２１】変形例に係る通信機器について上ケースを取り外した状態を示し、（Ａ）は遮光板を初期状態から正面から見て左回り方向へ２７０度回転させた状態を示す正面図、（Ｂ）は遮光板を初期状態から正面から見て左回り方向へ３３０度回転させた状態を示す正面図
【図２２】変形例に係る通信機器の正面図
【図２３】変形例に係る通信機器について上ケースを取り外した状態を示す正面図
【発明を実施するための形態】
【０００９】
以下、本発明の実施の形態に係る通信機器について図面を参照しながら説明する。本実施の形態に係る通信機器は、機器間の通信を中継する通信機器である。この種の通信機器は、例えばオフィスビル、ホテル、一般家庭住宅等において、機器の遠隔制御、集中管理等を行って省エネルギ化を実現するために導入されるＨＥＭＳ（Home Energy Management System）において使用される。この通信機器は、通信状態を表示するための発光部と、電源回路、制御回路等が形成された回路基板と、を備える。発光部は、回路基板の主面に実装されている。また、この通信機器は、箱状であり発光部と回路基板とを収納するとともに、周壁における発光部に対向する位置に窓部が形成された筐体と、回路基板と窓部との間において回転自在に設けられた遮光板と、を備える。そして、遮光板は、開口部を有し、発光部から放射される光を遮蔽する遮蔽状態から前述の中心軸周りに回転されることにより、発光部から放射される光を開口部および窓部を通じて筐体の外へ透過させる光透過状態となるものである。
【００１０】
図１に示すように、本実施の形態に係る通信機器１は、主面１１１ｃに３つの発光部１１３が実装された回路基板１１１と、筐体１３と、円板状の遮光板１５と、を備える。発光部１１３は、例えばＬＥＤ（Light Emitting Diode）素子を有するものである。なお、発光部１１３は、有機ＥＬ素子、その他無機ＥＬ素子等を有するものであってもよい。
【００１１】
回路基板１１１は、矩形板状であり、前述のように、電源回路、制御回路等が形成されている。３つの発光部１１３は、回路基板１１１の主面１１１ｃにおける回路基板１１１の長手方向における中央部よりも＋Ｚ方向側の位置に回路基板１１１の短手方向に沿って並ぶ形で実装されている。また、回路基板１１１には、各種機器に接続された通信インタフェースも実装されており、各種機器との間での通信インタフェースを介した通信状態に応じて発光部１１３を点灯、点滅、消灯させる。更に、回路基板１１１の４つの角部近傍には、それぞれ、回路基板１１１の厚さ方向に貫通し、回路基板１１１を筐体１３に固定するための螺子１１５が挿通される貫通孔１１１ａが設けられている。
【００１２】
遮光板１５は、非透光性材料から円板状に形成されており、中央部に平面視円形の貫通孔１５ｂが形成されている。非透光性材料としては、例えば不透明なアクリル樹脂、金属が挙げられる。また、遮光板１５の周面における８箇所には、遮光板１５の中心に向かって窪んだ形状を有する切欠部１５１が形成されている。遮光板１５は、回路基板１１１の主面１１１ｃと筐体１３の上ケース１３２の窓部１３２ａとの間に介在しており、Ｙ軸方向に平行な中心軸Ｊ０周りに回転自在である。遮光板１５は、複数の開口部１５３を有する。そして、遮光板１５は、３つの発光部１１３から放射される光を遮蔽する遮蔽状態から中心軸Ｊ０周りに予め設定された角度だけ回転されることにより、発光部１１３から放射される光を発光部１１３に対向する開口部１５３および窓部１３２ａを通じて筐体１３の外へ透過させる光透過状態となる。
【００１３】
筐体１３は、矩形箱状であり、発光部１１３、回路基板１１１および遮光板１５を収納する。筐体１３は、図２および図３に示すように、その周壁に発光部１１３から放射される光を筐体１３外へ透過させるための窓部１３２ａが設けられている。なお、図２は、３つの発光部１１３から放射される光全てが筐体１３外へ透過する光透過状態を示している。筐体１３は、矩形箱状であり、下ケース１３１と上ケース１３２とを有する。下ケース１３１と上ケース１３２とは、それぞれ扁平な矩形箱状であって厚さ方向の一面が解放された形状を有する。また、下ケース１３１は、先端部に切欠部１３１ａが設けられた延出部１３１ｂを有し、下ケース１３１は、側壁の一部に切欠部１３２ｂが設けられている。そして、下ケース１３１と上ケース１３２とは、互いに開放された部分同士を対向させて下ケース１３１の延出部１３１ｂが上ケース１３２の切欠部１３２ｂの内側に挿入された状態で組み合わされている。ここで、下ケース１３１の切欠部１３１ａと上ケース１３２の切欠部１３２ｂとで囲まれた部分から、遮光板１５の一部が筐体１３の外方へ突出している。ユーザは、この筐体１３外に突出した遮光板１５の一部を指でＺ軸方向へずらすことにより、遮光板１５を回転させることができる。
【００１４】
下ケース１３１は、図１に示すように、底壁に設けられた４つの円柱状のリブ１３１ｃと２つの矩形板状の突出片１３１ｅとを有する。リブ１３１ｃの先端部には、螺子孔１３１ｄが形成されている。また、４つのリブ１３１ｃは、Ｙ軸方向において回路基板１１１の４つの貫通孔１１１ａと重なる位置に配置されている。２つの突出片１３１ｅにおける互いに対向する面側には、Ｙ軸方向に延在する細長の突起１３１ｆが設けられている。そして、回路基板１１１は、主面１１１ｃとは反対側の面が４つのリブ１３１ｃの先端部と突起１３１ｆの＋Ｙ方向側の端部とに当接した状態で下ケース１３１に固定される。ここで、回路基板１１１は、回路基板１１１の貫通孔１１１ａに挿通された螺子１１５が４つのリブ１３１ｃそれぞれの螺子孔１３１ｄに螺合された状態で下ケース１３１に固定される。
【００１５】
上ケース１３２は、図４に示すように、底壁に設けられた円柱状の基台１３２ｃと、円柱状であり基台１３２ｃの先端部に基台１３２ｃと連続一体に設けられ先端部に螺子孔１３２ｄが形成されたリブ１３２ｈと、を有する。基台１３２ｃの外径は、リブ１３２ｈの外径よりも大きい。また、基台１３２ｃの外径は、遮光板１５の中央部に設けられた貫通孔１５ｂの内径よりも大きくなるように設定され、リブ１３２ｈの外径は、遮光板１５の貫通孔１５ｂの内径よりも若干小さくなるように設定されている。そして、遮光板１５は、貫通孔１５ｂの外周部が基台１３２ｃの先端部に当接し貫通孔１５ｂの内側にリブ１３２ｈが挿通された状態で、ワッシャ１５６に挿通された螺子１５５により上ケース１３２に固定されている。ここで、螺子１５５は、リブ１３２ｈの先端部に形成された螺子孔１３２ｄに螺着される。また、上ケース１３２の底壁には、基台１３２ｃを囲繞する環状リブ１３２ｇと、遮光板１５を案内する案内片１３２ｅと、が設けられている。環状リブ１３２ｇは、遮光板１５の周部にＹ軸方向への力が作用した場合に遮光板１５に当接することにより、遮光板１５の揺動を抑制するためのものである。案内片１３２ｅは、遮光板１５の周部に沿って湾曲した細長の板状であり、基台１３２ｃ側の面に遮光板１５の切欠部１５１に係合する突起１３２ｆを有する。案内片１３２ｅは、その突起１３２ｆが遮光板１５の切欠部１５１に係合した状態で、その復元力により遮光板１５の回転を規制している。そして、突起１３２ｆが遮光板１５の切欠部１５１に係合した状態で、遮光板１５がユーザにより強制的に回転されると、案内片１３２ｅが基台１３２ｃから離れる方向へ撓み、突起１３２ｆが遮光板１５の周面における切欠部１５１以外の部分に摺接する。
【００１６】
次に、本実施の形態に係る通信機器１の動作について図５から図８を参照しながら説明する。図５（Ａ）は、遮光板１５が、３つの発光部１１３から放射される光を全て遮蔽する遮蔽状態にある場合を示している。図５（Ａ）に示す遮蔽状態から、図５（Ｂ）に示すように、通信機器１の前面側（＋Ｙ方向側）から見て左回り方向（図５（Ｂ）の矢印ＡＲ１参照）へ３０度回転させる。そうすると、遮光板１５は、３つの発光部１１３のうち通信機器１の正面側（＋Ｙ方向側）から見て右側の発光部１１３と中央の発光部１１３とから放射される光を、２つの開口部１５３Ｃを通じて透過する光透過状態となる。
【００１７】
図５（Ｂ）に示す光透過状態から、図６（Ａ）に示すように、通信機器１の前面側（＋Ｙ方向側）から見て左回り方向（図６（Ａ）の矢印ＡＲ１参照）へ６０度回転させる。そうすると、遮光板１５は、前述の遮蔽状態から筐体１３に対して左回り方向へ９０度回転させた状態となる。この場合、遮光板１５は、３つの発光部１１３のうち通信機器１の正面側（＋Ｙ方向側）から見て左側の発光部１１３と右側の発光部１１３とから放射される光を、２つの開口部１５３Ｄを通じて透過させる光透過状態となる。図６（Ａ）に示す光透過状態から、図６（Ｂ）に示すように、通信機器１の前面側（＋Ｙ方向側）から見て左回り方向（図６（Ｂ）の矢印ＡＲ１参照）へ６０度回転させる。そうすると、遮光板１５は、前述の遮蔽状態から筐体１３に対して左回り方向へ１５０度回転させた状態となる。この場合、遮光板１５は、３つの発光部１１３のうち通信機器１の正面側（＋Ｙ方向側）から見て右側の発光部１１３から放射される光のみを、１つの開口部１５３Ｅを通じて透過させる光透過状態となる。
【００１８】
図６（Ｂ）に示す光透過状態から、図７（Ａ）に示すように、通信機器１の前面側（＋Ｙ方向側）から見て左回り方向（図７（Ａ）の矢印ＡＲ１参照）へ３０度回転させる。そうすると、遮光板１５は、前述の遮蔽状態から筐体１３に対して左回り方向へ１８０度回転させた状態となる。この場合、遮光板１５は、３つの発光部１１３のうち通信機器１の正面側（＋Ｙ方向側）から見て中央の発光部１１３から放射される光のみを、１つの開口部１５３Ｆを通じて透過させる光透過状態となる。図７（Ａ）に示す光透過状態から、図７（Ｂ）に示すように、通信機器１の前面側（＋Ｙ方向側）から見て左回り方向（図７（Ｂ）の矢印ＡＲ１参照）へ３０度回転させる。そうすると、遮光板１５は、前述の遮蔽状態から筐体１３に対して左回り方向へ２１０度回転させた状態となる。この場合、遮光板１５は、３つの発光部１１３のうち通信機器１の正面側（＋Ｙ方向側）から見て右側の発光部１１３から放射される光のみを、１つの開口部１５３Ｇを通じて透過させる光透過状態となる。
【００１９】
図７（Ｂ）に示す光透過状態から、図８（Ａ）に示すように、通信機器１の前面側（＋Ｙ方向側）から見て左回り方向（図８（Ａ）の矢印ＡＲ１参照）へ６０度回転させる。そうすると、遮光板１５は、前述の遮蔽状態から筐体１３に対して左回り方向へ２７０度回転させた状態となる。この場合、遮光板１５は、３つの発光部１１３から放射される光の全てを、３つの開口部１５３Ａを通じて透過させる光透過状態となる。図８（Ａ）に示す光透過状態から、図８（Ｂ）に示すように、通信機器１の前面側（＋Ｙ方向側）から見て左回り方向（図８（Ｂ）の矢印ＡＲ１参照）へ６０度回転させる。そうすると、遮光板１５は、前述の遮蔽状態から筐体１３に対して左回り方向へ３３０度回転させた状態となる。この場合、遮光板１５は、３つの発光部１１３のうち通信機器１の正面側（＋Ｙ方向側）から見て左側の発光部１１３と中央の発光部１１３とから放射される光を、２つの開口部１５３Ｂを通じて透過する光透過状態となる。このように、ユーザは、遮光板１５を回転させることにより、遮蔽状態または７種類の光透過状態の中のいずれかを選択することができる。
【００２０】
以上説明したように、本実施の形態に係る通信機器１によれば、遮光板１５が、開口部１５３を有し、前述の遮蔽状態から中心軸Ｊ０周りに予め設定された角度だけ回転されることにより前述の光透過状態となる。これにより、ユーザは、遮光板１５を回転させることにより、発光部１１３を視認できる状態と発光部１１３を視認できない状態とに切り替えることができる。従って、例えば筐体に枢着された発光部の前方を覆うカバーを前方へ突出させる形で回動させることにより発光部を視認可能な状態にする構成に比べて、筐体１３外における発光部１１３の前方に対応する位置に確保すべき空間を省略することができるので、通信機器１の設置場所の自由度を高めることができる。
【００２１】
また、本実施の形態に係る通信機器１は、３つの発光部を備え、遮光板１５が、１２個の開口部１５３を有する。そして、遮光板１５は、前述の光透過状態において、選択された少なくとも１つの発光部１１３から放射される光を少なくとも１つの発光部１１３それぞれに対向する開口部１５３および窓部１３２ａを通じて筐体１３の外へ透過させる。ここで、光透過状態において選択される発光部１１３は、遮光板１５の前述の遮蔽状態からの中心軸Ｊ０周りの８種類の回転角度それぞれに応じて選択される。これにより、ユーザは、遮光板１５の前述の遮蔽状態からの回転角度を適宜設定することにより、３つの発光部１１３のうちから視認可能とする発光部１１３を選択することができる。従って、ユーザの通信機器１に対するきめ細かな使用態様のニーズに応えることができるという利点がある。
【００２２】
以上、本発明の実施の形態について説明したが、本発明は前述の実施の形態によって限定されるものではない。例えば、図９に示す通信機器２のように、透光性を有し、回路基板１１１の主面１１１ｃと筐体１３の上ケース１３２の窓部１３２ａとの間に介在し、発光部１１３から放射される光を減衰させる減光板２０１７を備えるものであってもよい。なお、図９において、実施の形態と同様の構成については図３と同一の符号を付している。
【００２３】
減光板２０１７の材料は、例えば外観が乳白色となるように加工されたアクリル樹脂であってもよい。減光板２０１７は、円板状であり、遮光板１５と同様に、周面に複数の切欠部２０１７ａが設けられている。減光板２０１７は、透明な接着剤または螺子のような固定部材により遮光板１５に固定されている。減光板２０１７の切欠部２０１７ａは、遮光板１５に固定された状態で、減光板２０１７および遮光板１５の厚さ方向において遮光板１５の切欠部１５１と重なる位置に設けられている。なお、減光板２０１７５は、貫通孔２０１７ｂの内側に上ケース１３２に設けられたリブ１３２ｈが挿通された状態で、ワッシャ１５６に挿通された螺子１５５により上ケース１３２に固定されている。
【００２４】
なお、減光板は、図９に示すような減光板２０１７に限定されるものではなく、例えば、遮光板が、複数のサブ減光板を含み、複数のサブ減光板がそれぞれ遮光板１５の開口部１５３を覆うように遮光板１５に固定されるものであってもよい。この場合、サブ減光板は、例えばインサート成形法を利用して遮光板１５と一体に成形されるものであってもよい。
【００２５】
本構成によれば、ユーザが筐体１３の外から発光部１１３を見た場合、発光部１１３を減光板２０１７を介して視認することになるので、通信機器２の意匠性を向上させることができるという利点がある。
【００２６】
また、前述の変形例において、減光板が、Ｙ軸方向に平行な中心軸Ｊ０周りに回転自在であり、中心軸Ｊ０周りの複数種類の回転角度それぞれに応じて、発光部１１３から放射される光の減衰量が変化するものであってもよい。例えば図１０に示すように、本変形例に係る減光板３０１７は、中心軸Ｊ０周りに予め設定された回転角度だけ回転させたときにおける筐体１３の窓部１３２ａに対向する位置に窪み部３１７１、３１７２が設けられている。窪み部３１７２は、窪み部３１７１に比べて深さが深くなっている。減光板３０１７は、円板状であり、周面に複数の切欠部３０１７ａが設けられている。減光板３０１７の材料は、例えば外観が乳白色となるように加工されたアクリル樹脂であってもよい。減光板３０１７は、透明な接着剤または螺子のような固定部材により遮光板３０１５に固定されている。なお、減光板３０１７は、貫通孔３０１７ｂの内側に上ケース１３２に設けられたリブ１３２ｈが挿通された状態で、ワッシャ１５６に挿通された螺子１５５により上ケース１３２に固定されている。
【００２７】
遮光板３０１５は、複数の開口部３１５３を有する。そして、遮光板３０１５は、実施の形態に係る遮光板１５と同様に、３つの発光部１１３から放射される光を全て遮蔽する遮蔽状態から中心軸Ｊ０周りに予め設定された角度だけ回転されることにより、３つの発光部１１３から放射される光を発光部１１３に対向する開口部３１５３、減光板３０１７および窓部１３２ａを通じて筐体１３の外へ透過させる光透過状態となる。遮光板３０１５の切欠部３１５１は、減光板３０１７に固定された状態で、減光板３０１７および遮光板３０１５の厚さ方向において減光板３０１７の切欠部３０１７ａと重なる位置に設けられている。
【００２８】
次に、本変形例に係る通信機器３の動作について図１１から図１４を参照しながら説明する。図１１（Ａ）および（Ｂ）は、遮光板３０１５が、３つの発光部１１３から放射される光を全て遮蔽する遮蔽状態にある場合を示している。図１１（Ａ）および（Ｂ）に示す遮蔽状態から、図１２（Ａ）および（Ｂ）に示すように、通信機器３の前面側（＋Ｙ方向側）から見て左回り方向（図１２（Ａ）の矢印ＡＲ１参照）へ９０度回転させる。そうすると、遮光板３０１５は、３つの発光部１１３から放射される光を、３つの開口部３１５３および減光板３０１７を通じて透過する光透過状態となる。このとき、３つの発光部１１３から放射される光は、図１２（Ｂ）に示すように、減光板３０１７における厚さＴ０の部分を透過する。
【００２９】
図１２（Ａ）および（Ｂ）に示す光透過状態から、図１３（Ａ）および（Ｂ）に示すように、通信機器３の前面側（＋Ｙ方向側）から見て左回り方向（図１３（Ａ）の矢印ＡＲ１参照）へ９０度回転させる。そうすると、遮光板３０１５は、前述の遮蔽状態から筐体１３に対して左回り方向へ１８０度回転させた状態となる。この場合、遮光板３０１５は、３つの発光部１１３から放射される光を、３つの開口部３１５３および減光板３０１７の窪み部３１７１の底部を通じて透過する光透過状態となる。このとき、３つの発光部１１３から放射される光は、図１３（Ｂ）に示すように、減光板３０１７における窪み部３１７１の底部３１７１ａ、即ち、厚さＴ１の部分を透過する。ここで、底部３１７１ａの厚さＴ１は、窪み部３１７１の深さ分だけ、減光板３０１７における窪み部３１７１、３１７２以外の部分の厚さＴ０よりも薄い。このため、図１３（Ａ）および（Ｂ）に示す光透過状態では、図１２（Ａ）および（Ｂ）に示す光透過状態に比べて、発光部１１３から放射される光の減光板３０１７による減光量が低減される。
【００３０】
図１３（Ａ）および（Ｂ）に示す光透過状態から、図１４（Ａ）および（Ｂ）に示すように、通信機器３の前面側（＋Ｙ方向側）から見て左回り方向（図１４（Ａ）の矢印ＡＲ１参照）へ９０度回転させる。そうすると、遮光板３０１５は、前述の遮蔽状態から筐体１３に対して左回り方向へ２７０度回転させた状態となる。この場合、遮光板３０１５は、３つの発光部１１３から放射される光を、３つの開口部３１５３および減光板３０１７の窪み部３１７２の底部を通じて透過する光透過状態となる。このとき、３つの発光部１１３から放射される光は、図１４（Ｂ）に示すように、減光板３０１７における窪み部３１７２の底部３１７２ａ、即ち、厚さＴ２の部分を透過する。ここで、底部３１７２ａの厚さＴ２は、窪み部３１７１の深さと窪み部３１７２の深さとの差分に相当する分だけ、底部３１７１ａの厚さＴ１よりも薄い。このため、図１４（Ａ）および（Ｂ）に示す光透過状態では、図１３（Ａ）および（Ｂ）に示す光透過状態に比べて、発光部１１３から放射される光の減光板３０１７による減光量が更に低減される。このように、ユーザは、遮光板３０１５および減光板３０１７を共に回転させることにより、減光板３０１７による減光量を調整することができる。
【００３１】
なお、減光板は、図１０から図１４に示すような減光板３０１７に限定されるものではなく、例えば、減光板が、複数のサブ減光板を含み、複数のサブ減光板がそれぞれ遮光板３０１５の開口部３１５３を覆うように遮光板３０１５に固定されるものであってもよい。この場合、サブ減光板は、例えばインサート成形法を利用して遮光板３０１５と一体に成形されるものであってもよい。また、サブ減光板は、それぞれ遮光板３０１５における固定位置に応じて厚さが異なるようにしてもよい。
【００３２】
本構成によれば、遮光板３０１５および減光板３０１７を共に回転させることにより、発光部１１３から筐体１３外へ透過する光量を調整することができるので、ユーザの嗜好に合わせやすくなるという利点がある。
【００３３】
実施の形態では、図１から図３に示すように、複数の発光部１１３がＸ軸方向に平行な一直線上に配置されている例について説明したが、複数の発光部１１３の配置はこれに限定されない。例えば、図１５に示すように、複数の発光部１１３が、通信機器４の前面側（＋Ｙ方向側）から見て、遮光板４０１５の中心軸Ｊ０を中心とする仮想円弧Ｃ１上に配置されていてもよい。なお、図１５において、実施の形態と同様の構成については図２と同一の符号を付している。この場合、筐体４０１３の窓部４１３２ａは、＋Ｙ方向側から見て、周壁における仮想円弧Ｃ１と重なる位置に設けられている。複数の発光部１１３は、図１６に示すように、回路基板４１１１の主面４１１１ｃにおける、回路基板４１１１の厚さ方向、即ち、Ｙ軸方向において中心軸Ｊ０を中心とする仮想円弧Ｃ１と重なる領域に実装されている。なお、図１６において、実施の形態と同様の構成については図５から図８と同一の符号を付している。遮光板４０１５は、＋Ｙ方向側から見て仮想円弧Ｃ１と重なる位置に設けられた複数の開口部４１５３を有する。
【００３４】
本構成によれば、遮光板４０１５のサイズを、実施の形態に係る遮光板１５のサイズに比べて小さくすることができるので、通信機器４の小型化を図ることができる。また、減光板がこの遮光板４０１５に重ねて固定される場合、減光板のサイズも遮光板４０１５と同様に小さくすることができる。
【００３５】
また、図１７に示す通信機器５のように、複数の発光部１１３が、Ｚ軸方向に平行な仮想直線ＶＬ５上に配置されていてもよい。なお、図１７において、実施の形態と同様の構成については図２と同一の符号を付している。この場合、筐体５０１３の窓部５１３２ａが、Ｚ軸方向に平行な仮想直線ＶＬ５上の位置に並設されている。複数の発光部１１３は、図１８（Ａ）に示すように、回路基板５１１１の主面５１１１ｃ上においてＺ軸方向に平行な仮想直線ＶＬ５に沿って実装されている。なお、以下、図１８から図２１において、実施の形態と同様の構成については図５から図８と同一の符号を付している。図１８（Ａ）は、遮光板５０１５が、３つの発光部１１３から放射される光を全て遮蔽する遮蔽状態にある場合を示している。図１８（Ａ）に示す遮蔽状態から、図１８（Ｂ）に示すように、通信機器５の前面側（＋Ｙ方向側）から見て左回り方向（図１８（Ｂ）の矢印ＡＲ１参照）へ３０度回転させる。そうすると、遮光板５０１５は、３つの発光部１１３のうち通信機器５の正面側（＋Ｙ方向側）から見て上側の発光部１１３と中央の発光部１１３とから放射される光を、２つの開口部５１５３Ｃを通じて透過する光透過状態となる。
【００３６】
図１８（Ｂ）に示す光透過状態から、図１９（Ａ）に示すように、通信機器５の前面側（＋Ｙ方向側）から見て左回り方向（図１９（Ａ）の矢印ＡＲ１参照）へ６０度回転させる。この場合、遮光板５０１５は、３つの発光部１１３のうち通信機器５の正面側（＋Ｙ方向側）から見て上側の発光部１１３と下側の発光部１１３とから放射される光を、２つの開口部５１５３Ｄを通じて透過させる光透過状態となる。図１９（Ａ）に示す光透過状態から、図１９（Ｂ）に示すように、通信機器５の前面側（＋Ｙ方向側）から見て左回り方向（図１９（Ｂ）の矢印ＡＲ１参照）へ６０度回転させる。この場合、遮光板５０１５は、３つの発光部１１３のうち通信機器５の正面側（＋Ｙ方向側）から見て下側の発光部１１３から放射される光のみを、１つの開口部５１５３Ｅを通じて透過させる光透過状態となる。
【００３７】
図１９（Ｂ）に示す光透過状態から、図２０（Ａ）に示すように、通信機器５の前面側（＋Ｙ方向側）から見て左回り方向（図２０（Ａ）の矢印ＡＲ１参照）へ３０度回転させる。この場合、遮光板５０１５は、３つの発光部１１３のうち通信機器５の正面側（＋Ｙ方向側）から見て中央の発光部１１３から放射される光のみを、１つの開口部５１５３Ｆを通じて透過させる光透過状態となる。図２０（Ａ）に示す光透過状態から、図２０（Ｂ）に示すように、通信機器５の前面側（＋Ｙ方向側）から見て左回り方向（図２０（Ｂ）の矢印ＡＲ１参照）へ３０度回転させる。この場合、遮光板５０１５は、３つの発光部１１３のうち通信機器５の正面側（＋Ｙ方向側）から見て上側の発光部１１３から放射される光のみを、１つの開口部５１５３Ｇを通じて透過させる光透過状態となる。
【００３８】
図２０（Ｂ）に示す光透過状態から、図２１（Ａ）に示すように、通信機器５の前面側（＋Ｙ方向側）から見て左回り方向（図２１（Ａ）の矢印ＡＲ１参照）へ６０度回転させる。この場合、遮光板５０１５は、３つの発光部１１３から放射される光の全てを、３つの開口部５１５３Ａを通じて透過させる光透過状態となる。図２１（Ａ）に示す光透過状態から、図２１（Ｂ）に示すように、通信機器５の前面側（＋Ｙ方向側）から見て左回り方向（図２１（Ｂ）の矢印ＡＲ１参照）へ６０度回転させる。この場合、遮光板５０１５は、３つの発光部１１３のうち通信機器５の正面側（＋Ｙ方向側）から見て下側の発光部１１３と中央の発光部１１３とから放射される光を、２つの開口部５１５３Ｂを通じて透過する光透過状態となる。このように、ユーザは、実施の形態と同様に、遮光板５０１５を回転させることにより、遮蔽状態または７種類の光透過状態の中のいずれかを選択することができる。
【００３９】
或いは、図２２に示す通信機器６のように、複数の発光部１１３が、Ｚ軸に対して交差する仮想直線ＶＬ６上に配置されていてもよい。なお、図２２において、実施の形態と同様の構成については図２と同一の符号を付している。この場合、筐体６０１３の窓部６１３２ａが、Ｚ軸に対して交差する仮想直線ＶＬ６上の位置に並設されている。複数の発光部１１３は、図２３に示すように、回路基板６１１１の主面６１１１ｃ上においてＺ軸に対して交差する仮想直線ＶＬ６に沿って実装されている。なお、図２３において、実施の形態と同様の構成については図５から図８と同一の符号を付している。図２３は、遮光板６０１５が、３つの発光部１１３から放射される光の全てを、３つの開口部６１５３を通じて透過させる光透過状態にある場合を示している。
【００４０】
これらの構成によれば、実施の形態に係る通信機器１と同様に、光透過状態において選択される発光部１１３が、遮光板５０１５、６０１５の中心軸Ｊ０周りの複数種類の回転角度それぞれに応じて選択される。これにより、ユーザは、遮光板５０１５、６０１５の回転角度を適宜設定することにより、３つの発光部１１３のうちから視認可能とする発光部１１３を選択することができる。従って、ユーザの通信機器５、６に対するきめ細かな使用態様のニーズに応えることができるという利点がある。
【００４１】
実施の形態では、３つの発光部１１３を備える通信機器１の例について説明したが、発光部１１３の数は３つに限定されるものではない。例えば２つ以下の発光部１１３を備える通信機器であってもよいし、或いは、４つ以上の発光部１１３を備える通信機器であってもよい。これらの場合、筐体は、その周壁における発光部１１３に対向する位置それぞれに窓部が形成されたものとすればよい。
【００４２】
前述の実施の形態および変形例では、通信機器１、２、３、４、５、６の例について説明したが、これに限らず、例えば他の機器を遠隔操作するためのリモートコントローラ、照明器具の点灯状態を制御するための壁スイッチ等の他の発光部を備える機器であってもよい。
【００４３】
以上、本発明の実施の形態および変形例（なお書きに記載したものを含む。以下、同様。）について説明したが、本発明はこれらに限定されるものではない。本発明は、実施の形態及び変形例が適宜組み合わされたもの、それに適宜変更が加えられたものを含む。
【産業上の利用可能性】
【００４４】
本発明は、ＨＥＭＳの一部を構成する通信機器、他の機器を遠隔操作するためのリモートコントローラ、照明器具の点灯状態を制御するための壁スイッチ等に広く適用可能である。
【符号の説明】
【００４５】
１，２，３，４，５，６  通信機器、１３，４０１３，５０１３，６０１３  筐体、１５，３０１５，４０１５，５０１５，６０１５  遮光板、１５ｂ，１１１ａ  貫通孔、１１１，４１１１，５１１１，６１１１  回路基板、１１１ｃ，４１１１ｃ，５１１１ｃ，６１１１ｃ  主面、１１３  発光部、１１５，１５５  螺子、１３１  下ケース、１３１ａ，１３２ｂ，１５１，２０１７ａ，３０１７ａ，３１５１  切欠部、１３１ｂ  延出部、１３１ｃ，１３２ｈ  リブ、１３１ｄ，１３２ｄ  螺子孔、１３１ｅ  突出片、１３２ｆ、１３３ａ  突起、１３２  上ケース、１３２ａ，４１３２ａ，５１３２ａ，６１３２ａ  窓部、１３２ｃ  基台、１３２ｅ  案内片、１３２ｇ  環状リブ、１３３  突出片、１３３ａ  突起、１５２  溝、１５３，１５３Ａ，１５３Ｂ，１５３Ｃ，１５３Ｄ，１５３Ｅ，１５３Ｆ，１５３Ｇ，３１５３，４１５３，５１５３，５１５３Ａ，５１５３Ｂ，５１５３Ｃ，５１５３Ｄ，５１５３Ｅ，５１５３Ｆ，５１５３Ｇ，６１５３  開口部、１５６  ワッシャ、２０１７，３０１７  減光板、３１７１，３１７２  窪み部、３１７１ａ，３１７２ａ  底部、Ｃ１  仮想円弧、Ｊ０  中心軸、ＶＬ５，ＶＬ６  仮想直線
【図１】
2019154011.tif 000003
【図２】
2019154011.tif 000004
【図３】
2019154011.tif 000005
【図４】
2019154011.tif 000006
【図５】
2019154011.tif 000007
【図６】
2019154011.tif 000008
【図７】
2019154011.tif 000009
【図８】
2019154011.tif 000010
【図９】
2019154011.tif 000011
【図１０】
2019154011.tif 000012
【図１１】
2019154011.tif 000013
【図１２】
2019154011.tif 000014
【図１３】
2019154011.tif 000015
【図１４】
2019154011.tif 000016
【図１５】
2019154011.tif 000017
【図１６】
2019154011.tif 000018
【図１７】
2019154011.tif 000019
【図１８】
2019154011.tif 000020
【図１９】
2019154011.tif 000021
【図２０】
2019154011.tif 000022
【図２１】
2019154011.tif 000023
【図２２】
2019154011.tif 000024
【図２３】
2019154011.tif 000025